【手続補正書】
【提出日】平成17年9月5日(2005.9.5)
【手続補正１】
【補正対象書類名】明細書
【補正対象項目名】発明の名称
【補正方法】変更
【補正の内容】
【発明の名称】ＰＬＣシステム及びリモートターミナル
【手続補正２】
【補正対象書類名】明細書
【補正対象項目名】特許請求の範囲
【補正方法】変更
【補正の内容】
【特許請求の範囲】
【請求項１】  ＰＬＣユニットとの間で通信する通信部と、制御対象機器を接続する送受信部と、通信部のＰＬＣユニットに対する通信プロトコルと送受信部における制御対象機器に対する通信プロトコルとを変換することにより、制御対象機器との間およびＰＬＣユニットとの間における送受信を処理する処理部と、を含むリモートターミナルと、
リモートターミナルとの間で通信する通信制御ユニットと、通信制御ユニットを介してリモートターミナルに対して制御対象機器に対するリード・ライト信号を送信して制御対象機器を制御するＣＰＵユニットと、を含むＰＬＣユニットと、
を持つＰＬＣシステムであって、
ＰＬＣユニットのＣＰＵユニットは、リモートターミナルの送受信部のパラメータ設定条件を含むコマンドを発行し、そのコマンドを通信制御ユニットを介してリモートターミナルに対して送信するものであり、
リモートターミナルは、
送受信部の通信パラメータ条件を記憶する記憶手段を持ち、
ＣＰＵユニットにて発行されたコマンドを受信した場合、コマンド内容を調べて、コマンドに含まれるパラメータ設定条件に従って、記憶手段に記憶される送受信部の通信パラメータ条件を設定するものである
ことを特徴とするＰＬＣシステム。
【請求項２】  ＣＰＵユニットが発行するコマンドは、リモートターミナルの送受信部に関わる複数のパラメータの設定を一括または個別に行うためのデータを選択的に記述されたものであり、
リモートターミナルは、コマンドの内容を調べて、パラメータ一括設定のコマンドであればパラメータ一括書込処理を行い、パラメータ個別設定のコマンドであれば対応するパラメータを個別に書込処理を行うことにより、記憶手段に記憶される送受信部の通信パラメータ条件を設定するものである
ことを特徴とする請求項１に記載のＰＬＣシステム。
【請求項３】  ＣＰＵユニットが発行するコマンドは、リセットを行うためのものであり、
リモートターミナルは、コマンドに従い、記憶手段に記憶される送受信部の通信パラメータ条件を初期化して、デフォルト値に戻す
ことを特徴とする請求項１に記載のＰＬＣシステム。
【請求項４】  リモートターミナルの送受信部は、ＲＳ−２３２Ｃインタフェースであり、
ＣＰＵユニットが発行するコマンドは、ＲＳ−２３２ＣインタフェースにおけるＲＳ−２３２Ｃに関わる通信パラメータを設定するためのデータが記述されたものであり、
リモートターミナルは、コマンドの内容を調べて、制御対象機器に対するＲＳ−２３２Ｃ通信プロトコルを設定する
ことを特徴とする請求項１に記載のＰＬＣシステム。
【請求項５】  ＰＬＣユニットに接続する通信部と、制御対象機器を接続する送受信部と、
ＰＬＣユニットに対する通信プロトコルと制御対象機器に対する通信プロトコルとを変換することにより、制御対象機器との間およびＰＬＣユニットとの間における送受信の通信を処理するとともに、ＰＬＣユニットのＣＰＵユニットからの制御対象機器に対するリード・ライト信号を受信して、制御対象機器へリード・ライト信号を送信する処理部と、
送受信部の通信パラメータ条件を記憶する記憶部と、
を持つリモートターミナルであって、
処理部にて、
ＰＬＣユニットのＣＰＵユニットから送受信部のパラメータ設定条件を含むコマンドを受信した場合、コマンド内容を調べて、コマンドに含まれるパラメータ設定条件に従って、記憶部に記憶される送受信部の通信パラメータ条件を設定変更する
ことを特徴とするリモートターミナル。
【手続補正３】
【補正対象書類名】明細書
【補正対象項目名】０００１
【補正方法】変更
【補正の内容】
【０００１】
【発明の属する技術分野】
この発明はＰＬＣシステム及びリモートターミナルに関し、特にリモート通信にて遠方に設置されたリモートターミナルのシステムパラメータを設定できるようにしたＰＬＣシステム及びリモートターミナルに関する。
【手続補正４】
【補正対象書類名】明細書
【補正対象項目名】０００５
【補正方法】変更
【補正の内容】
【０００５】
そこで、この発明は、わざわざ現場に出向くことなく、リモート通信にて遠方に設置されたリモートターミナルのシステムパラメータを設定できるようにしたＰＬＣシステム及びリモートターミナルを提供することを目的とする。
【手続補正５】
【補正対象書類名】明細書
【補正対象項目名】０００６
【補正方法】変更
【補正の内容】
【０００６】
【課題を解決するための手段】
上記目的を達成するため、請求項１の発明は、
ＰＬＣユニットとの間で通信する通信部と、制御対象機器を接続する送受信部と、通信部のＰＬＣユニットに対する通信プロトコルと送受信部における制御対象機器に対する通信プロトコルとを変換することにより、制御対象機器との間およびＰＬＣユニットとの間における送受信を処理する処理部と、を含むリモートターミナルと、
リモートターミナルとの間で通信する通信制御ユニットと、通信制御ユニットを介してリモートターミナルに対して制御対象機器に対するリード・ライト信号を送信して制御対象機器を制御するＣＰＵユニットと、を含むＰＬＣユニットと、
を持つＰＬＣシステムであって、
ＰＬＣユニットのＣＰＵユニットは、リモートターミナルの送受信部のパラメータ設定条件を含むコマンドを発行し、そのコマンドを通信制御ユニットを介してリモートターミナルに対して送信するものであり、
リモートターミナルは、
送受信部の通信パラメータ条件を記憶する記憶手段を持ち、
ＣＰＵユニットにて発行されたコマンドを受信した場合、コマンド内容を調べて、コマンドに含まれるパラメータ設定条件に従って、記憶手段に記憶される送受信部の通信パラメータ条件を設定するものである
ことを特徴とする。
【手続補正６】
【補正対象書類名】明細書
【補正対象項目名】０００７
【補正方法】変更
【補正の内容】
【０００７】
また、請求項２の発明は、請求項１の発明において、
ＣＰＵユニットが発行するコマンドは、リモートターミナルの送受信部に関わる複数のパラメータの設定を一括または個別に行うためのデータを選択的に記述されたものであり、
リモートターミナルは、コマンドの内容を調べて、パラメータ一括設定のコマンドであればパラメータ一括書込処理を行い、パラメータ個別設定のコマンドであれば対応するパラメータを個別に書込処理を行うことにより、記憶手段に記憶される送受信部の通信パラメータ条件を設定するものである
ことを特徴とする。
【手続補正７】
【補正対象書類名】明細書
【補正対象項目名】０００８
【補正方法】変更
【補正の内容】
【０００８】
また、請求項３の発明は、請求項１の発明において、
ＣＰＵユニットが発行するコマンドは、リセットを行うためのものであり、
リモートターミナルは、コマンドに従い、記憶手段に記憶される送受信部の通信パラメータ条件を初期化して、デフォルト値に戻す
ことを特徴とする。
【手続補正８】
【補正対象書類名】明細書
【補正対象項目名】０００９
【補正方法】変更
【補正の内容】
【０００９】
また、請求項４の発明は、請求項１の発明において、
リモートターミナルの送受信部は、ＲＳ−２３２Ｃインタフェースであり、
ＣＰＵユニットが発行するコマンドは、ＲＳ−２３２ＣインタフェースにおけるＲＳ−２３２Ｃに関わる通信パラメータを設定するためのデータが記述されたものであり、
リモートターミナルは、コマンドの内容を調べて、制御対象機器に対するＲＳ−２３２Ｃ通信プロトコルを設定する
ことを特徴とする。
【手続補正９】
【補正対象書類名】明細書
【補正対象項目名】００１０
【補正方法】変更
【補正の内容】
【００１０】
また、請求項５の発明は、
ＰＬＣユニットに接続する通信部と、制御対象機器を接続する送受信部と、
ＰＬＣユニットに対する通信プロトコルと制御対象機器に対する通信プロトコルとを変換することにより、制御対象機器との間およびＰＬＣユニットとの間における送受信の通信を処理するとともに、ＰＬＣユニットのＣＰＵユニットからの制御対象機器に対するリード・ライト信号を受信して、制御対象機器へリード・ライト信号を送信する処理部と、
送受信部の通信パラメータ条件を記憶する記憶部と、
を持つリモートターミナルであって、
処理部にて、
ＰＬＣユニットのＣＰＵユニットから送受信部のパラメータ設定条件を含むコマンドを受信した場合、コマンド内容を調べて、コマンドに含まれるパラメータ設定条件に従って、記憶部に記憶される送受信部の通信パラメータ条件を設定変更する
ことを特徴とする。
【手続補正１０】
【補正対象書類名】明細書
【補正対象項目名】００１１
【補正方法】変更
【補正の内容】
【００１１】
【発明の実施の形態】
以下、本発明に係るＰＬＣシステム及びリモートターミナルの一実施の形態を図面に基づいて説明する。
【手続補正１１】
【補正対象書類名】明細書
【補正対象項目名】００１２
【補正方法】変更
【補正の内容】
【００１２】
図１は本発明に係るＰＬＣシステムの概略構成を示すブロック図である。
【手続補正１２】
【補正対象書類名】明細書
【補正対象項目名】００８０
【補正方法】変更
【補正の内容】
【００８０】
【発明の効果】
以上説明したように、請求項１の発明では、ＰＬＣユニットとの間で通信する通信部と、制御対象機器を接続する送受信部と、通信部のＰＬＣユニットに対する通信プロトコルと送受信部における制御対象機器に対する通信プロトコルとを変換することにより、制御対象機器との間およびＰＬＣユニットとの間における送受信を処理する処理部と、を含むリモートターミナルと、リモートターミナルとの間で通信する通信制御ユニットと、通信制御ユニットを介してリモートターミナルに対して制御対象機器に対するリード・ライト信号を送信して制御対象機器を制御するＣＰＵユニットと、を含むＰＬＣユニットと、を持つＰＬＣシステムであって、ＰＬＣユニットのＣＰＵユニットは、リモートターミナルの送受信部のパラメータ設定条件を含むコマンドを発行し、そのコマンドを通信制御ユニットを介してリモートターミナルに対して送信するものであり、リモートターミナルは、送受信部の通信パラメータ条件を記憶する記憶手段を持ち、ＣＰＵユニットにて発行されたコマンドを受信した場合、コマンド内容を調べて、コマンドに含まれるパラメータ設定条件に従って、記憶手段に記憶される送受信部の通信パラメータ条件を設定するものであるようにしたので、わざわざ現場に出向くことなく、リモート通信にて遠方に設置されたリモートターミナルのシステムパラメータを設定できる。
【手続補正１３】
【補正対象書類名】明細書
【補正対象項目名】００８１
【補正方法】変更
【補正の内容】
【００８１】
また、請求項２の発明では、ＣＰＵユニットが発行するコマンドは、リモートターミナルの送受信部に関わる複数のパラメータの設定を一括または個別に行うためのデータを選択的に記述されたものであり、リモートターミナルは、コマンドの内容を調べて、パラメータ一括設定のコマンドであればパラメータ一括書込処理を行い、パラメータ個別設定のコマンドであれば対応するパラメータを個別に書込処理を行うことにより、記憶手段に記憶される送受信部の通信パラメータ条件を設定するようにしたので、パラメータ設定の自由度が向上する。
【手続補正１４】
【補正対象書類名】明細書
【補正対象項目名】００８２
【補正方法】変更
【補正の内容】
【００８２】
また、請求項３の発明では、ＣＰＵユニットが発行するコマンドは、リセットを行うためのものであり、リモートターミナルは、コマンドに従い、記憶手段に記憶される送受信部の通信パラメータ条件を初期化して、デフォルト値に戻すようにしたので、同じくデフォルト値に戻すためにわざわざ現場に出向く必要がない。
【手続補正１５】
【補正対象書類名】明細書
【補正対象項目名】００８３
【補正方法】変更
【補正の内容】
【００８３】
また、請求項４の発明では、リモートターミナルの送受信部は、ＲＳ−２３２Ｃインタフェースであり、ＣＰＵユニットが発行するコマンドは、ＲＳ−２３２ＣインタフェースにおけるＲＳ−２３２Ｃに関わる通信パラメータを設定するためのデータが記述されたものであり、リモートターミナルは、コマンドの内容を調べて、制御対象機器に対するＲＳ−２３２Ｃ通信プロトコルを設定するようにしたので、同じくわざわざ現場に出向くことなく、リモート通信にて遠方に設置されたリモートターミナルのシステムパラメータを設定できる。
【手続補正１６】
【補正対象書類名】明細書
【補正対象項目名】００８４
【補正方法】変更
【補正の内容】
【００８４】
また、請求項５の発明では、ＰＬＣユニットに接続する通信部と、制御対象機器を接続する送受信部と、ＰＬＣユニットに対する通信プロトコルと制御対象機器に対する通信プロトコルとを変換することにより、制御対象機器との間およびＰＬＣユニットとの間における送受信の通信を処理するとともに、ＰＬＣユニットのＣＰＵユニットからの制御対象機器に対するリード・ライト信号を受信して、制御対象機器へリード・ライト信号を送信する処理部と、送受信部の通信パラメータ条件を記憶する記憶部と、を持つリモートターミナルにおいて、処理部にて、ＰＬＣユニットのＣＰＵユニットから送受信部のパラメータ設定条件を含むコマンドを受信した場合、コマンド内容を調べて、コマンドに含まれるパラメータ設定条件に従って、記憶部に記憶される送受信部の通信パラメータ条件を設定変更するようにしたので、コマンドの発行だけでパラメータ設定ができ、同じくわざわざ現場に出向くことなく、リモート通信にて遠方に設置されたリモートターミナルのシステムパラメータを設定できる。
【手続補正１７】
【補正対象書類名】明細書
【補正対象項目名】図１
【補正方法】変更
【補正の内容】
【図１】
本発明に係るＰＬＣシステムの概略構成を示すブロック図。